(57)【要約】【課題】本発明は、装置の小型化を実現しつつ、３Ｄサランド機能についてその効果を向上できるようにする新たな携帯端末装置の提供を目的とする。【解決手段】本発明の携帯端末装置は、同一の筐体内にスピーカを２個搭載した３Ｄサランド機能を有するときにあって、各スピーカの前気室と後気室とが互いに分離密閉され、かつ、それらの２つの前気室が互いに分離密閉されるとともに、それらの２つの後気室が互いに分離密閉されるように構成される。このように構成されることで、前気室において左右の音が混ざり合うことがないとともに、後気室において左右の音が混ざり合うことがないことから、３Ｄサランド機能について十分にその効果を向上することができるようになる。【選択図】図５
2006311235.tif 000002
【特許請求の範囲】
【請求項１】
同一の筐体内にスピーカを２個搭載した３Ｄサランド機能を有する携帯端末装置であって、
各スピーカの前気室と後気室とが互いに分離密閉され、かつ、それらの２つの前気室が互いに分離密閉されるとともに、それらの２つの後気室が互いに分離密閉されるように構成されることを、
特徴とする携帯端末装置。
【請求項２】
請求項１に記載の携帯端末装置において、
各スピーカの前気室、後気室及び音用開口部が筐体の中心に対して左右対称に配置されるように構成されることを、
特徴とする携帯端末装置。
【請求項３】
請求項１又は２に記載の携帯端末装置において、
各スピーカの後気室を形成する装置内部側の壁に１つ又は複数の貫通孔が設けられ、かつ、その貫通孔が他方のスピーカから離れた位置に設けられるように構成されることを、
特徴とする携帯端末装置。
【請求項４】
請求項１又は２に記載の携帯端末装置において、
各スピーカの音用開口部が他方のスピーカから離れた装置前面位置に設けられ、かつ、その開口が装置側面側に傾斜されるように構成されることを、
特徴とする携帯端末装置。
【請求項５】
請求項１又は２に記載の携帯端末装置において、
各スピーカの後気室を形成する壁に音反射防止用の部材が貼り付けられるように構成されることを、
特徴とする携帯端末装置。
【発明の詳細な説明】
【技術分野】
【０００１】
本発明は、３Ｄサランド機能を有する携帯端末装置に関し、特に、装置の小型化を実現しつつ、３Ｄサランド機能についてその効果を向上できるようにする携帯端末装置に関する。
【０００２】
携帯電話などの携帯端末装置では、装置内に２つのスピーカを備える構成を採って、それを使って、ユーザが現実の世界で音を聞くときと同じような感覚で音を聞くことができるようにする３Ｄサランド機能を実現する構成を採っている。
【０００３】
他メーカの携帯端末装置との差別化を図ることからしても、この３Ｄサランド機能についてその効果を向上できるようにする技術を構築する必要がある。
【背景技術】
【０００４】
携帯端末装置で使用するスピーカについては、音圧を確保するために後気室の容積を確保する必要がある。例えば、スピーカのメーカが後気室の容積として３ccを要求する場合には、その容積を確保する必要がある。
【０００５】
図１１に、従来の携帯端末装置で用いられているスピーカの取り付け構造を図示する（例えば、特許文献１参照）。
【０００６】
この図に示すように、従来の携帯端末装置では、前気室については、左右のスピーカの前気室を周方向に形成される隔壁で分離して、左右の音が筐体内で混ざり合わないようにしている。また、後気室については、音圧を確保するために後気室の容積を確保する必要があることを考慮して、２つのスピーカの間に隙間を形成することで、スピーカの振動板を振動しやすくするとともに、後気室の容積の確保を実現することによりスピーカから発生する音の低音領域を強化するようにしている。
【特許文献１】特開２００３−１５８５６５号公報
【発明の開示】
【発明が解決しようとする課題】
【０００７】
しかしながら、このように構成される従来技術では、ステレオ機能については十分にその効果を向上できるようになるものの、後気室において左右の音が混ざり合うことから、３Ｄサランド機能については十分にその効果を発揮することができないという問題がある。
【０００８】
３Ｄサランド機能を実現するためには、隣接するスピーカの後気室から音の干渉による音圧低下及び定位劣化を防止する必要があるが、従来技術によると、２つのスピーカの間に隙間が形成されていることで、左右の音の干渉による音圧の低下及び定位劣化が発生し、これにより３Ｄサランド機能については十分にその効果を発揮することができないのである。
【０００９】
一方、その他の従来技術として、隣接するスピーカの中央部だけに敷居壁を設けたり、側面及び底面を除いてコの字に敷居を設けるような携帯端末装置もある。
【００１０】
しかしながら、このような従来の携帯端末装置では、後気室について十分な密閉ができていないことから、図１１に示す従来の携帯端末装置と同様に、３Ｄサランド機能については十分にその効果を発揮することができないという問題がある。
【００１１】
また、図１１に示す従来の携帯端末装置では、ステレオ機能の向上のために、装置側面に放音孔を配置するようにしているが、このような構成を採ると、前気室から側面への音の流路が必要となることで厚みが厚くなり、これから、携帯端末装置を薄型にできないという問題もある。
【００１２】
また、従来の携帯端末装置では、左右の後気室の容積を同一としないものもあるが、このような従来の携帯端末装置では、左右の後気室の容積差に伴う音圧差により３Ｄサランド機能の低下が見られる。
【００１３】
本発明はかかる事情に鑑みてなされたものであって、装置の小型化を実現しつつ、３Ｄサランド機能についてその効果を向上できるようにする新たな携帯端末装置の提供を目的とする。
【課題を解決するための手段】
【００１４】
この目的を達成するために、本発明の携帯端末装置は、同一の筐体内にスピーカを２個搭載した３Ｄサランド機能を有するときにあって、各スピーカの前気室と後気室とが互いに分離密閉され、かつ、それらの２つの前気室が互いに分離密閉されるとともに、それらの２つの後気室が互いに分離密閉されるように構成される。
【００１５】
このように構成されることで、前気室において左右の音が混ざり合うことがないとともに、後気室において左右の音が混ざり合うことがないことから、３Ｄサランド機能について十分にその効果を向上することができるようになる。
【００１６】
この構成を採るときに、各スピーカの前気室、後気室及び音用開口部が筐体の中心に対して左右対称に配置されるように構成されることが好ましい。
【００１７】
このように構成されることで、左右の前気室の容積が同一となるとともに、左右の後気室の容積が同一となることで、その容積差に伴う音圧差による３Ｄサランド機能の低下を防げるようになるとともに、２つの音用開口部が左右同一位置に配置されることで、その配置位置の違いによる３Ｄサランド機能の低下を防げるようになることから、３Ｄサランド機能について十分にその効果を向上することができるようになる。
【００１８】
そして、各スピーカの後気室を形成する装置内部側の壁に１つ又は複数の貫通孔が設けられ、かつ、その貫通孔が他方のスピーカから離れた位置に設けられるように構成されることがある。
【００１９】
このように構成されることで、装置の小型化を図るために後気室の容積が十分に確保できない場合に、左右の貫通孔を使って装置内部の容積を後気室として利用することが可能になることで、音圧の低下を防止することができるようになるとともに、この実現にあたって、左右の貫通孔が他方のスピーカから離れた位置に設けられることで、後気室において左右の音が混ざり合うことを可能な限り抑えることができることから、３Ｄサランド機能について十分にその効果を向上することができるようになる。
【００２０】
そして、各スピーカの音用開口部が他方のスピーカから離れた装置前面位置に設けられ、かつ、その開口が装置側面側に傾斜されるように構成されることがある。
【００２１】
このように構成されることで、音用開口部から放射される音が左右の離れた方向に向かうことで、３Ｄサランド機能について十分にその効果を向上することができるようになるとともに、この実現にあたって、音用開口部を装置前面位置に設けることから、前気室から側面への音の流路が不要となることで装置の小型化を図れるようになる。
【００２２】
そして、各スピーカの後気室を形成する壁に音反射防止用の部材が貼り付けられるように構成されることがある。
【００２３】
このように構成されることで、後気室の内部での音の反射を防げるようになることで、音圧の低下を防止することができるようになり、３Ｄサランド機能について十分にその効果を向上することができるようになる。
【発明の効果】
【００２４】
以上に説明したように、本発明の携帯端末装置によれば、同一の筐体内にスピーカを２個搭載した３Ｄサランド機能を有するときにあって、装置の小型化を実現しつつ、３Ｄサランド機能について十分にその効果を向上することができるようになる。
【発明を実施するための最良の形態】
【００２５】
以下、実施の形態に従って本発明を詳細に説明する。
【００２６】
図１に、本発明を具備する３Ｄサランド機能を有する携帯電話１の使用状態における外観を図示し、図２に、本発明を具備する３Ｄサランド機能を有する携帯電話１の非使用状態における外観を図示する。
【００２７】
これらの図から分かるように、本発明を具備する携帯電話１は、操作部１１を備える本体１０と、表示部２１を備える蓋体２０とで構成されて、本体１０と蓋体２０とがヒンジ部３０を介して折り畳み可能となるように構成されている。
【００２８】
そして、蓋体２０は、蓋体本体２２を基体として、その蓋体本体２２とそれに取り付けられる蓋体カバー２３とで構成されている。
【００２９】
図３に、本発明を具備する携帯電話１の本発明に関わる構造部分を図示する。
【００３０】
ここで、図３（ａ）は折り畳んだ状態にあるときに蓋体２０を上から見た図を示し、図３（ｂ）はＢ−Ｂから見た断面図を示し、図３（ｃ）は蓋体カバー２３を取り外した状態における２つのスピーカ４０の取り付け部分の図を示す。
【００３１】
この蓋体カバー２３には、スピーカ４０の取付位置に対応付けられるカバー前面の左右対称となる位置に、同じ大きさを持つ２つの音用開口部２４が形成されている。なお、この音用開口部２４には、ゴミの混入を防ぐためのメッシュがかけられており、さらに、このメッシュを保持するための橋梁部材が設けられている。
【００３２】
ここで、左側のスピーカ４０に対応付けて設けられる音用開口部２４は、そのスピーカ４０の左端に対応付けられる位置に形成されるとともに、右側のスピーカ４０に対応付けて設けられる音用開口部２４は、そのスピーカ４０の右端に対応付けられる位置に形成されることで、例えば３７ｍｍ以上というように、左右の音用開口部２４はできるだけ離れた位置に形成されることになる。
【００３３】
２つのスピーカ４０は、音圧差が１ｄＢ以下の同一性能品のものが用いられ、蓋体本体２２に設けられるスピーカホルダ２５の持つ複数の係合片２６に係合する形で取り付けられており、このスピーカホルダ２５には、図中に示す黒く塗り潰した部分で示すように、２つのスピーカ４０を取り囲むとともに、２つのスピーカ４０を区切る形態で設けられる区画壁２７が形成されている。
【００３４】
これらの２つのスピーカ４０には、図中に示す斜線部分で示すように、その外周部分に、リング形状の前気室用パッキング４１が取り付けられており、後述することから分かるように、この前気室用パッキング４１により分離密閉されることになる空間部分がスピーカ４０の前気室を構成するとともに、それ以外の周囲の空間部分がスピーカ４０の後気室を構成することになる。
【００３５】
さらに、スピーカホルダ２５には、スピーカ４０の取付位置に対応付けられる装置内部側の壁位置に、例えば３個というように複数の貫通孔２８が設けられている。
【００３６】
ここで、左側のスピーカ４０に対応付けて設けられる貫通孔２８は、そのスピーカ４０の左端に対応付けられる位置に設けられるとともに、右側のスピーカ４０に対応付けて設けられる貫通孔２８は、そのスピーカ４０の右端に対応付けられる位置に設けられることで、左右の貫通孔２８はできるだけ離れた位置に設けられることになる。
【００３７】
図４に、蓋体カバー２３を裏側から見た図を図示する。
【００３８】
この図に示すように、蓋体カバー２３の裏側には、スピーカホルダ２５の区画壁２７と同一形状を有して、蓋体カバー２３が蓋体本体２２に取り付けられるときにその区画壁２７に当接することで、左右のスピーカ４０の後気室を分離密閉するための後気室用パッキング２９が取り付けられている。
【００３９】
なお、蓋体カバー２３の裏側には、図中に示す斜線部分で示すように、この後気室用パッキング２９の他に、いくつかのパッキングが取り付けられている。
【００４０】
以上に説明した構成に従って、本発明を具備する携帯電話１では、２つのスピーカ４０の前気室と後気室とが互いに分離密閉され、かつ、それらの２つの前気室が互いに分離密閉されるとともに、それらの２つの後気室が互いに分離密閉されるように構成されることになる。
【００４１】
すなわち、図３（ａ）に示すＡ−Ａから見た断面図である図５に示すように、前気室用パッキング４１により囲まれることで分離密閉されることになる内側の空間部分が、スピーカ４０の前気室１００として機能することになる。そして、その前気室用パッキング４１と後気室用パッキング２９とにより区画されることで分離密閉されることになる空間部分が、スピーカ４０の後気室２００として機能することになる。
【００４２】
この構成に従って、左側のスピーカ４０の前気室１００と後気室２００とは、そのスピーカ４０の外周部分に取り付けられる前気室用パッキング４１により互いに分離密閉されるとともに、右側のスピーカ４０の前気室１００と後気室２００とは、そのスピーカ４０の外周部分に取り付けられる前気室用パッキング４１により互いに分離密閉され、さらに、左側のスピーカ４０の後気室２００と右側のスピーカ４０の後気室２００とは、後気室用パッキング２９により互い分離密閉されることになるので、本発明を具備する携帯電話１では、２つのスピーカ４０の前気室１００と後気室２００とが互いに分離密閉され、かつ、それらの２つの前気室１００が互いに分離密閉されるとともに、それらの２つの後気室２００が互いに分離密閉されるように構成されるのである。
【００４３】
このように構成されることで、本発明を具備する携帯電話１では、前気室１００において左右の音が混ざり合うことがないとともに、後気室２００において左右の音が混ざり合うことがないことから、３Ｄサランド機能について十分にその効果を向上することができるようになる。
【００４４】
しかも、この構成を採るときに、本発明を具備する携帯電話１では、各スピーカ４０の前気室１００、後気室２００及び音用開口部２４が筐体の中心に対して左右対称に配置されるように構成される。
【００４５】
このように構成されることで、本発明を具備する携帯電話１では、左右の前気室１００の容積が同一となるとともに、左右の後気室２００の容積が同一となることで、その容積差に伴う音圧差による３Ｄサランド機能の低下を防げるようになるとともに、２つの音用開口部２４が左右同一位置に配置されることで、その配置位置の違いによる３Ｄサランド機能の低下を防げるようになることから、３Ｄサランド機能について十分にその効果を向上することができるようになる。
【００４６】
上述したように、左右に設けられる音用開口部２４はできるだけ離れた位置に形成されることになるが、この構成に加えて、図６に示すように、音用開口部２４の開口が装置側面側に傾斜されるように構成されている。
【００４７】
このように構成されることで、音用開口部２４から放射される音が左右の離れた方向に向かうことで、３Ｄサランド機能について十分にその効果を向上することができるようになるとともに、この実現にあたって、音用開口部２４を装置前面位置に設けることから、前気室１００から側面への音の流路が不要となることで装置の小型化を図れるようになる。
【００４８】
本発明を具備する携帯電話１に対して、それほどの小型化が要求されない場合には、後気室２００の容積としてスピーカ４０のメーカの要求する容積を実現でき、そのような場合には貫通孔２８を設ける必要がない。
【００４９】
しかしながら、本発明を具備する携帯電話１に対しての小型化の要求が強い場合には、後気室２００の容積としてスピーカ４０のメーカの要求する容積を実現できないことで、音圧が低下することになる。
【００５０】
これから、このような場合には、上述した左右の貫通孔２８を設けることで装置内部の容積を利用し、これにより、後気室２００の容積としてスピーカ４０のメーカの要求する容積を実現する構成を採ることになる。このとき設けられる左右の貫通孔２８は、上述したようにできるだけ離れた位置に設けられることになる。
【００５１】
このように構成されることで、装置の小型化を図るために後気室２００の容積が十分に確保できない場合に、左右の貫通孔２８を使って装置内部の容積を後気室２００として利用することが可能になることで、音圧の低下を防止することができるようになるとともに、この実現にあたって、左右の貫通孔２８が他方のスピーカ４０から離れた位置に設けられることで、後気室２００において左右の音が混ざり合うことを可能な限り抑えることができることから、３Ｄサランド機能について十分にその効果を向上することができるようになる。
【００５２】
図７ないし図９に、貫通孔２８を設けないときと貫通孔２８を設けたときの音圧レベルを比較するために行った実験結果を図示する。
【００５３】
図７は、左右のそれぞれに１ｍｍ径の貫通孔２８を１つ設けたときとの比較となる実験結果を示し、図８は、左右のそれぞれに１ｍｍ径の貫通孔２８を２つ設けたときとの比較となる実験結果を示し、図９は、左右のそれぞれに１ｍｍ径の貫通孔２８を３つ設けたときとの比較となる実験結果を示す。
【００５４】
ここで、実線が貫通孔２８を設けないときの実験結果であり、破線が貫通孔２８を設けたときの実験結果である。
【００５５】
これらの実験結果から、貫通孔２８を設けることで、１ｋＨｚ以下の低い周波数領域における音圧の低下を防止することができるようになることを検証できた。
【００５６】
これから、後気室２００の容積が十分に確保できない場合に、貫通孔２８を設けることが有効であることを検証できた。
【００５７】
また、図５では図示していないが、後気室２００を形成する壁にフェルトなどのような音反射防止用の部材を貼り付けると、後気室２００の内部における音の反射をなくすことができる。
【００５８】
図１０に、後気室２００を形成する壁にフェルトを貼り付けたときとフェルトを貼り付けないときの音圧レベルを比較するために行った実験結果を図示する。
【００５９】
ここで、破線がフェルトを貼り付けないときの実験結果であり、実線がフェルトを貼り付けたときの実験結果である。
【００６０】
この実験結果から、後気室２００を形成する壁にフェルトを貼り付けることで、低い周波数領域における音圧の低下を防止することができるようになるとともに、高い周波数領域における音圧のバタツキをなくすことができるようになることを検証できた。
【００６１】
これから、後気室２００を形成する壁にフェルトなどのような音反射防止用の部材を貼り付けることが有効であることを検証できた。
【産業上の利用可能性】
【００６２】
本発明は、３Ｄサランド機能を有する携帯電話などのような携帯端末装置に利用することができ、装置の小型化を実現しつつ、３Ｄサランド機能についてその効果を向上することができるようになる。
【図面の簡単な説明】
【００６３】
【図１】本発明を具備する携帯電話の使用状態における外観を示す図である。
【図２】本発明を具備する携帯電話の非使用状態における外観を示す図である。
【図３】本発明を具備する携帯電話の本発明に関わる構造部分を示す図である。
【図４】蓋体カバーを裏側から見た図である。
【図５】本発明を具備する携帯電話の断面を示す図である。
【図６】音用開口部の開口形状を示す図である。
【図７】本発明の有効性を検証するために行った実験結果の説明図である。
【図８】本発明の有効性を検証するために行った実験結果の説明図である。
【図９】本発明の有効性を検証するために行った実験結果の説明図である。
【図１０】本発明の有効性を検証するために行った実験結果の説明図である。
【図１１】従来技術の説明図である。
【符号の説明】
【００６４】
１      携帯電話
１０    本体
１１    操作部
２０    蓋体
２１    表示部
２２    蓋体本体
２３    蓋体カバー
２４    音用開口部
２５    スピーカホルダ
２６    係合片
２７    区画壁
２８    貫通孔
２９    後気室用パッキング
３０    ヒンジ部
４０    スピーカ
４１    前気室用パッキング
１００  前気室
２００  後気室
【図１】
2006311235.tif 000003
【図２】
2006311235.tif 000004
【図３】
2006311235.tif 000005
【図４】
2006311235.tif 000006
【図５】
2006311235.tif 000007
【図６】
2006311235.tif 000008
【図７】
2006311235.tif 000009
【図８】
2006311235.tif 000010
【図９】
2006311235.tif 000011
【図１０】
2006311235.tif 000012
【図１１】
2006311235.tif 000013